(57)【特許請求の範囲】
【請求項１】
ケース内に収容された水石鹸をエアーで泡立てて吐出するムースディスペンサにおいて、
上記ケース内に収納され、外気を取り込むエアー圧送室を有し該エアー圧送室の圧縮によりエアーを圧送するエアー供給手段と、
上記ケース内に収納され、上記ケース内の水石鹸を吸引する水石鹸室を有し該水石鹸室内の水石鹸を圧送する水石鹸供給手段と、
上記ケースの外部からの操作力により上記エアー供給手段及び水石鹸供給手段を圧縮する操作部材を有する圧縮手段と、
上記エアー供給手段から圧送されるエアーを通すエアー流出通路と、
上記水石鹸供給手段から圧送される水石鹸を通す水石鹸流出通路と、
上記水石鹸流出通路から送り出される水石鹸を、上記エアー流出通路から送り出されるエアーで泡立てて泡状石鹸を吐出する泡ノズルと、
を備え、
上記操作部材は、棒状部材から形成され、上記水石鹸流出通路及びエアー流出通路は、上記操作部材内の軸心方向へ沿って設けたことを特徴とするムースディスペンサ。
【発明の詳細な説明】
【０００１】
【産業上の利用分野】
本発明は、洗面等に使用する泡状石鹸を吐出するムースディスペンサに関するものである。
【０００２】
【従来の技術】
従来より、石鹸水をエアーで泡立てて泡状石鹸を吐出させるものがある。すなわち、ムースディスペンサは、ケース内に水石鹸を収納し、手動式のポンプでケース室内のエアーで水石鹸を泡立てて泡ノズルから吐出するものである。
このムースディスペンサは、ボトル状のハンディタイプで構成されており、通常は、洗面台の付近の化粧ケース内に収納し、洗面時に取り出して使用するものである。
【０００３】
【発明が解決しようとする課題】
しかし、こうしたハンディタイプのムースディスペンサでは、ホテルや公衆トイレ等の不特定人が使用する場所に設置した場合には、盗難のおそれがあり、常設することが難しい。しかも、ムースディスペンサは、洗面用シンク等に近接してコンパクトな構成で設置して、洗面動作の支障にならないように構成する必要がある。
【０００４】
特にコンパクトなケースとした場合には、そのケース内に水石鹸やエアーを供給するための通路を配設することが組立作業上も難しいという問題もあった。
【０００５】
本発明は、上記従来の技術の問題を解決するものであり、水石鹸をエアーで泡立てて泡状石鹸を吐出する装置であり、ケース内において、水石鹸流出通路及びエアー流出通路の配置を簡単にすることができるムースディスペンサを提供することを目的とする。
【０００６】
【課題を解決するための手段】
上記課題を解決するためになされた本発明は、
ケース内に収容された水石鹸をエアーで泡立てて吐出するムースディスペンサにおいて、
上記ケース内に収納され、外気を取り込むエアー圧送室を有し該エアー圧送室の圧縮によりエアーを圧送するエアー供給手段と、
上記ケース内に収納され、上記ケース内の水石鹸を吸引する水石鹸室を有し該水石鹸室内の水石鹸を圧送する水石鹸供給手段と、
上記ケースの外部からの操作力により上記エアー供給手段及び水石鹸供給手段を圧縮する操作部材を有する圧縮手段と、
上記エアー供給手段から圧送されるエアーを通すエアー流出通路と、
上記水石鹸供給手段から圧送される水石鹸を通す水石鹸流出通路と、
上記水石鹸流出通路から送り出される水石鹸を、上記エアー流出通路から送り出されるエアーで泡立てて泡状石鹸を吐出する泡ノズルと、
を備え、
上記操作部材は、棒状部材から形成され、上記水石鹸流出通路及びエアー流出通路は、上記操作部材内の軸心方向へ沿って設けたことを特徴とする。
【０００７】
【作用】
本発明のムースディスペンサでは、圧縮手段の操作部材を操作すると、該操作部材を介して水石鹸供給手段及びエアー供給手段が作動し、水石鹸及びエアーが水石鹸流出通路及びエアー流出通路を介してそれぞれ泡ノズルに圧送され、該泡ノズルにて水石鹸がエアーで泡立てられて泡状石鹸が吐出される。また、水石鹸供給手段及びエアー供給手段からそれぞれ圧送される水石鹸及びエアーは、棒状部材から形成された操作部材内の軸心方向に沿って設けた水石鹸流出通路及びエアー流出通路を介してそれぞれ送られるので、ケース内における通路の配置構成が簡単になる。
【０００８】
【実施例】
以上説明した本発明の構成・作用を一層明らかにするために、以下本発明の好適な実施例について説明する。
【０００９】
図１はムースディスペンサ１０を示す側方から見た断面図、図２はその上部の拡大図、図３はその下部の拡大断面図、図４は他の方向から見たムースディスペンサ１０の上部を示す拡大断面図である。なお、図１ないし図４はその構成を分かり易くするために適宜その要部を破断した断面を採っている。ムースディスペンサ１０は、洗面用シンク（図示省略）を取り付けた洗面台Ｂに設置される装置であり、水石鹸をエアーで泡立てて吐出するものである。
【００１０】
上記ムースディスペンサ１０は、水石鹸を収容すると共に下記の各種機構を内蔵するケース２０と、ケース２０内に設けられかつ外気を吸引すると共にそのエアーを圧送するエアー室７０Ｓを有するエアー供給用ベローズ７０と、ケース２０内の水石鹸を吸引すると共にその水石鹸を圧送する水石鹸室８０Ｓを有する水石鹸供給用ベローズ８０と、ケース２０の外部からの操作力によりエアー供給用ベローズ７０及び水石鹸供給用ベローズ８０を圧縮する操作部材９０ａを有する圧縮機構９０と、エアー供給用ベローズ７０のエアー室７０Ｓに外気を導入するための外気導入通路１１０と、上記エアー供給用ベローズ７０から圧送されたエアーを通すためのエアー流出通路１２０と、水石鹸供給用ベローズ８０の水石鹸室８０Ｓに水石鹸を導入するための水石鹸導入通路１３０と、水石鹸供給用ベローズ８０から圧送される水石鹸を通すための水石鹸流出通路１４０と、水石鹸流出通路１４０から圧送される水石鹸をエアー流出通路１２０から圧送されるエアーで泡立てて泡状石鹸を吐出するノズル口１５０Ｎを有する泡ノズル１５０と、を備えている。
【００１１】
次に、ムースディスペンサ１０の動作について説明する。
いま、ケース２０内のケース室２０Ｓ内に水石鹸が収容されていると共に、エアー供給用ベローズ７０のエアー室７０Ｓにエアーが満たされ、水石鹸供給用ベローズ８０の水石鹸室８０Ｓに水石鹸が充填された状態にあるとする。この状態から、圧縮機構９０の操作部材９０ａを外力により矢印方向へ操作してエアー供給用ベローズ７０及び水石鹸供給用ベローズ８０を圧縮すると、エアー供給用ベローズ７０の圧縮によりエアー室７０Ｓ内のエアーがエアー流出通路１２０を介して吹き出されると共に、水石鹸供給用ベローズ８０の圧縮により水石鹸室８０Ｓ内の水石鹸が水石鹸流出通路１４０を通じて流出する。そして、水石鹸流出通路１４０から流出した水石鹸が泡ノズル１５０にてエアー流出通路１２０から流出したエアーで泡立てられ、泡状石鹸となって泡ノズル１５０のノズル口１５０Ｎから吐出する。この泡状石鹸で洗面等を行なうことができる。
【００１２】
そして、圧縮機構９０の操作部材９０ａに対する外力を除くと、エアー供給用ベローズ７０及び水石鹸供給用ベローズ８０は、その復原力により元の状態に戻ろうとする。このとき、ケース２０内の水石鹸が水石鹸導入通路１３０を介して水石鹸室８０Ｓに導入されると共に、外気が外気導入通路１１０を介してエアー室７０Ｓ内に導入される。すなわち、水石鹸供給用ベローズ８０内に水石鹸が充填されると共に、エアー供給用ベローズ７０内にエアーが満たされて、元の状態に戻る。
【００１３】
次に、ムースディスペンサ１０の各部の構成について詳細に説明する。
図１に示すように、ムースディスペンサ１０は、ケース２０を備えている。ケース２０は、ケース本体２１と、ケース本体２１上に固定されたアダプタ３０と、アダプタ３０の上部に固定されたノズルフランジ４０と、ケース本体２１の底開口２１ａを閉じる底蓋５０とを備えている。
【００１４】
図３に示すように、上記ケース本体２１は、筒状体であり、ケース本体２１の底面には、底開口２１ａが形成され、その底開口２１ａの周囲が底フランジ部２１ｂになっている。底フランジ部２１ｂに、底蓋５０の蓋フランジ部５０ａが合わされてネジ止めされることにより、底蓋５０によって底開口２１ａが封止されている。これにより、ケース本体２１内が水石鹸を収納可能なケース室２０Ｓになっている。
【００１５】
図２に示すように、ケース本体２１の上部には、アダプタ３０が固定されている。アダプタ３０は、アダプタ室３０Ｓを有する筒本体３１と、筒本体３１の下部に一体的な下部フランジ部３２を備えている。筒本体３１の上部外周には、上部外周ネジ部３１ａが形成され、筒本体３１の下部外周には、ケース本体２１に固定するための下部外周ネジ部３１ｂが形成されている。
【００１６】
アダプタ３０の筒本体３１は、ケース本体２１の上開口２１ｃに貫挿され、ケース本体２１の上側内面２１ｄに下部フランジ部３２が密着し、下部外周ネジ部３１ｂに下側ナット３３が螺着されることにより、ケース本体２１の上部にアダプタ３０が固定されている。アダプタ３０の上部には、ノズルフランジ４０が取り付けられている。ノズルフランジ４０は、筒本体４１内にノズルフランジ室４０Ｓを備えている。
【００１７】
次に、上記ケース本体２１内に収納された水石鹸及びエアーを供給するための機構について説明する。上記底蓋５０の上部には、ベローズ下側支持台６０が形成されており、このベローズ下側支持台６０の上部にベローズ支持部６０ａが形成されている。このベローズ支持部６０ａには、エアー供給用ベローズ７０が支持されている。
【００１８】
エアー供給用ベローズ７０は、外気を吸引して泡状石鹸を形成するためのエアーを圧送するものであり、蛇腹部７１と、蛇腹部７１の下部に一体的に形成されたベローズ下部７２と、蛇腹部７１の上部に一体的に形成したベローズ上部７３とを備えている。
【００１９】
ベローズ上部７３は、シャフト９４を固定したベローズ上支持部材９２の下端部で支持されている。すなわち、ベローズ上支持部材９２の下端部には、ベローズ支持凹所９２ａが形成されており、このベローズ支持凹所９２ａによりベローズ上部７３の上部中央取付突起７３ａが支持されている。
【００２０】
水石鹸供給用ベローズ８０は、エアー供給用ベローズ７０内に設けられ、ケース室２０Ｓ内の水石鹸を吸引して水石鹸を圧送するものであり、水石鹸供給用ベローズ蛇腹部８１と、水石鹸供給用ベローズ蛇腹部８１の下部に形成されたベローズ下部８２と、水石鹸供給用ベローズ蛇腹部８１の上部に形成されたベローズ上部８３とを備えている。ベローズ下部８２の中央部には、下流出開口８２ａを有する下部支持部８２ｂが形成され、この下部支持部８２ｂが下中央支持開口部７２ａに嵌合支持されている。
【００２１】
一方、ベローズ上部８３には、水石鹸開口８３ａを有する上部支持部８３ｂが形成されており、この上部支持部８３ｂがベローズ上支持部材９２のベローズ支持凹所９２ｃにより支持されている。
【００２２】
次に、エアー供給用ベローズ７０及び水石鹸供給用ベローズ８０を圧縮するための圧縮機構９０の操作部材９０ａについて説明する。圧縮機構９０の操作部材９０ａは、ベローズ上支持部材９２と、ベローズ上支持部材９２に固定されたシャフト９４と、シャフト９４の上端に固定されたキャップ９６とを備えている。シャフト９４は、アダプタ３０に形成されたシャフト支持部３４のシャフト貫挿孔３４ａに貫挿支持され、さらに、ノズルフランジ４０内に形成されたフランジ支持部４２のシャフト貫挿孔４２ａに貫挿支持され、キャップ９６の下端にシャフト取付ネジ９４ａによりネジ止め固定されている。
【００２３】
キャップ９６は、図２及び図４に示すように、ノズルフランジ４０の上部に装着されており、シャフト９４をネジ止め固定したキャップ本体９７と、キャップカバー９８とを備えている。キャップ本体９７には、その上外周部に上部支持環状突起９７ａが形成されている。一方、キャップカバー９８は、操作押圧面としての上面部９８ａと、この上面部９８ａの外周部から下方へ延設されたカバーフランジ部９８ｂとを有している。また、キャップカバー９８の内面部には、環状支持突起９８ｃが環状に突設されており、この環状支持突起９８ｃが上部支持環状突起９７ａに嵌合することにより、キャップカバー９８がキャップ本体９７に装着されている。
【００２４】
上記キャップ本体９７の外側面とカバーフランジ部９８ｂの内側面との間には、環状スペース９６Ｓが形成されている。また、キャップ本体９７の側壁部には、軸方向ガイド部９７ｂが形成されており、さらに、上記ノズルフランジ４０の上内周部には、軸方向ガイド部９７ｂにスライド自在に嵌合する上部内周ガイド部４１ａが形成されている。したがって、軸方向ガイド部９７ｂが上部内周ガイド部４１ａにガイドされながら環状スペース９６Ｓにノズルフランジ４０の上部が嵌入することにより、キャップ９６がノズルフランジ４０の上部で上下動するように装着されている。
【００２５】
したがって、キャップカバー９８の上面部９８ａを押すと、キャップカバー９８、キャップ本体９７、シャフト９４及びベローズ上支持部材９２は、一体となって下方へ移動することによりエアー供給用ベローズ７０及び水石鹸供給用ベローズ８０を圧縮し、圧縮状態からその押圧力を除くとエアー供給用ベローズ７０及び水石鹸供給用ベローズ８０の復元力により上方へ移動する。なお、キャップ本体９７には、水石鹸をケース室２０Ｓに充填するための上部凹所９７ｃ及び水石鹸補給通路９７ｄが形成されており、さらにその上面には、水石鹸補給通路９７ｄを閉じるようにフィルタ９７ｅがシャフト取付ネジ９４ａによりネジ止めされている。また、キャップカバー９８は、キャップ本体９７にチェーン（図示省略）に連結されて、その紛失や盗難を防止している。
【００２６】
次に、エアー供給用ベローズ７０及び水石鹸供給用ベローズ８０から流出されるエアー及び水石鹸の各通路について説明する。
【００２７】
まず、外気導入通路１１０及びエアー流出通路１２０について説明する。
上記エアー供給用ベローズ７０の下部を支持するベローズ下側支持台６０及び底蓋５０には、外気導入通路１１０が形成されている。この外気導入通路１１０は、底蓋５０の下面に外気導入口１１０ｂを有し、エアー供給用ベローズ７０の下部開口７２ｂに連通している。また、外気導入通路１１０には、外気導入用チェック弁１１１が設けられており、この外気導入用チェック弁１１１は、外気の導入方向に開弁し、逆方向へ閉弁するものである。
【００２８】
また、ベローズ上支持部材９２には、エアー流出通路１２０が形成されている。すなわち、エアー供給用ベローズ７０の上部エアー開口７３ｄに連通しているエアー流出通路１２０ａが形成され、エアー流出通路１２０ａには、エアー流出用チェック弁１２１が接続されている。エアー流出用チェック弁１２１は、シャフトフランジ部９４ｂ内のエアー流出通路１２０ｂ、シャフト９４内のエアー流出通路１２０ｃを通じて、エアー流出通路１２０ｄに接続され、さらに泡ノズル１５０に接続されている。なお、上記エアー流出用チェック弁１２１は、エアー供給用ベローズ７０から泡ノズル１５０方向へのエアーの圧力で開弁し、逆方向へ閉弁するものである。
【００２９】
次に、水石鹸導入通路１３０及び水石鹸流出通路１４０について説明する。
ベローズ下側支持台６０には、水石鹸導入通路１３０ａが形成されている。水石鹸導入通路１３０ａには、水石鹸導入用チェック弁１３１が接続されている。水石鹸導入用チェック弁１３１は、ケース室２０Ｓ内の水石鹸を吸引する方向へ開弁し、逆方向への水石鹸の圧力で閉弁するものである。
【００３０】
また、ベローズ上支持部材９２には、水石鹸供給用ベローズ８０の下流出開口８２ａに連通している水石流出鹸通路１４０ａが形成されている。水石流出鹸通路１４０ａには、水石鹸流出用チェック弁１４１が接続されている。水石鹸流出用チェック弁１４１には、水石流出鹸通路１４０ｂが接続され、水石流出鹸通路１４０ｃに接続され、泡ノズル１５０に接続されている。なお、上記水石鹸流出用チェック弁１４１は、水石鹸供給用ベローズ８０から泡ノズル１５０への水石鹸の圧力で開弁し、逆方向の圧力で閉弁するものである。
【００３１】
次に、泡ノズル１５０について説明する。
泡ノズル１５０は、図５に示すように、ノズルフランジ４０の側部に形成されたノズルホルダ部４４に取り付けられている。ノズルホルダ部４４は、ノズルホルダ凹所４４ａを有し、このノズルホルダ凹所４４ａに泡ノズル１５０の端部が嵌合され、泡ノズル取付ネジ１５２により固定されている。泡ノズル１５０は、ノズル混合室１５３ａ、このノズル混合室１５３ａに連通しているノズル通路１５０ａとを備えており、上記ノズル混合室１５３ａに水石鹸流出通路１４０及びエアー流出通路１２０の各流出開口が接続されている。
【００３２】
ノズル混合室１５３ａは、第１導入通路部１５３ｂ、第１導入通路部１５３ｂより流路面積の大きい第１拡張室１５３ｃ、接続通路部１５３ｄ、第２拡張室１５３ｅを接続すると共に、第１導入通路部１５３ｂと第１拡張室１５３ｃとの間に第１メッシュ１５３ｆ、第２拡張室１５３ｅの流出開口に第２メッシュ１５３ｇが設けられている。
【００３３】
この構成を有するノズル混合室１５３ａの第１導入通路部１５３ｂに水石鹸及びエアーが圧送されると、水石鹸がエアーで第１段階として泡立てられ、第１メッシュ１５３ｆを通って、第１拡張室１５３ｃに導入される。このとき、第１導入通路部１５３ｂから第１拡張室１５３ｃへ入ると、その容積が増大することにより、水石鹸がいっそう泡立てられ、さらに接続通路部１５３ｄ及び第２拡張室１５３ｅ、さらに第２メッシュ１５３ｇを通ることにより、水石鹸がほぼ理想的にエアーで泡立てられた泡状石鹸になる。
【００３４】
次に、ムースディスペンサ１０の泡状石鹸の吐出動作について説明する。
ケース本体２１内のケース室２０Ｓ内に水石鹸が充填されており、エアー供給用ベローズ７０及び水石鹸供給用ベローズ８０が図示する伸び状態にあるとする。このとき、エアー供給用ベローズ７０のエアー室７０Ｓ内に、外気導入通路１１０及び外気導入用チェック弁１１１を介してエアーが満たされ、一方、水石鹸供給用ベローズ８０の水石鹸室８０Ｓ内に水石鹸が充填された状態にあるとする。
【００３５】
この状態にて、キャップ９６の上面部９８ａを手で押すと、キャップ９６と一体となってシャフト９４、水石鹸流出用チェック弁１４１、エアー流出用チェック弁１２１、ベローズ上支持部材９２が下方へ移動して、エアー供給用ベローズ７０及び水石鹸供給用ベローズ８０を同時に圧縮する。
【００３６】
これにより、エアー供給用ベローズ７０のエアー室７０Ｓ内のエアーがエアー流出通路１２０を介して、つまり、エアー流出通路１２０ｂ、エアー流出用チェック弁１２１、エアー流出通路１２０ｃを介して泡ノズル１５０に送られる。このとき、外気導入通路１１０には、外気導入用チェック弁１１１が設けられているから、エアー供給用ベローズ７０のエアーは外気に抜けない。
【００３７】
一方、水石鹸供給用ベローズ８０の圧縮により水石鹸室８０Ｓ内に充填されていた水石鹸が水石鹸流出通路１４０を介して、つまり、水石流出鹸通路１４０ａ、水石鹸流出用チェック弁１４１、水石流出鹸通路１４０ｂ、水石流出鹸通路１４０ｃ、水石流出鹸通路１４０ｄを介して、泡ノズル１５０に達する。そして、泡ノズル１５０では水石鹸がエアーで泡立てられて泡状石鹸となり、泡ノズル１５０のノズル口１５０Ｎから吐出される。ノズル口１５０Ｎから吐出された泡状石鹸は、手の洗浄等に使用される。
【００３８】
そして、キャップ９６への押し下げ力を解放すると、エアー供給用ベローズ７０及び水石鹸供給用ベローズ８０の復原力により、エアー供給用ベローズ７０及び水石鹸供給用ベローズ８０が元の状態に戻ろうとする。このとき、エアー供給用ベローズ７０は、エアー室７０Ｓ内が負圧になるから、外気導入通路１１０ａ及び外気導入用チェック弁１１１を介して、エアー室７０Ｓ内にエアーを吸引する。これと同時に、水石鹸供給用ベローズ８０は、その負圧により水石鹸導入用チェック弁１３１を介して、水石鹸室８０Ｓに水石鹸を吸引充填する。これによりエアー供給用ベローズ７０内にエアーが満たされると共に、水石鹸供給用ベローズ８０内に水石鹸が充填されて、泡状石鹸の吐出のための待機状態になる。
【００３９】
上記実施例に係るムースディスペンサ１０によれば、以下に説明する効果を有する。
【００４０】
（１）  上記ムースディスペンサ１０によれば、キャップ９６を押せば、シャフト９４及びベローズ上支持部材９２を介してエアー供給用ベローズ７０及び水石鹸供給用ベローズ８０が圧縮されて、水石鹸がエアーで泡立てられて、泡ノズル１５０から泡状石鹸を吐出するから、泡状石鹸により洗面を行なうことができる。
【００４１】
（２）  また、ムースディスペンサ１０は、洗面台Ｂの洗面用シンクに近接して固定設置されているから、使用性に優れると共に、公共の場所に設置しても盗難等のおそれもない。
【００４２】
（３）  上記実施例において、エアー供給用ベローズ７０及び水石鹸供給用ベローズ８０から圧送されるエアー及び水石鹸は、シャフト９４内に形成された水石流出鹸通路１４０ｂ、水石流出鹸通路１４０ｃ及び、エアー流出通路１２０ｂ、エアー流出通路１２０ｃを介して泡ノズル１５０に送られる。したがって、水石鹸流出通路１４０及びエアー流出通路１２０ｃを配置するための配管系が簡単になり、つまり、ケース２０内に複雑な配管接続をする必要がなく、組立性も向上する。
【００４３】
（４）  エアー及び水石鹸を供給する手段として、エアー供給用ベローズ７０及び水石鹸供給用ベローズ８０という構成で実現しているので、モータ等の電気的構成も不要で簡単な構成である上に、水周りに絶縁性を考慮した面倒な電気配線もする必要がない。
【００４４】
（５）  １回の操作で泡状石鹸を作るための水石鹸の量は、水石鹸室８０Ｓ内に充填される量で一定であり、しかもエアーの量もエアー室７０Ｓ内の容積で一定であり、こうした一定量の水石鹸及びエアーにより泡状石鹸が作られるから、最適に泡立てられた泡状石鹸が得られ、使用性に優れている。
【００４５】
（６）  水石鹸供給用ベローズ８０は、エアー供給用ベローズ７０より小径に形成され、エアー供給用ベローズ７０内に配置されているから、エアー供給用ベローズ７０及び水石鹸供給用ベローズ８０をケース２０内にコンパクトに収めることができ、ケース２０内のケース室２０Ｓの容量を大きくすることができる。したがって、ケース室２０Ｓ内に収容することができる水石鹸の量が大きくなり、水石鹸の充填回数が減りメンティナンスが簡単になる。
【００４６】
（７）  ムースディスペンサ１０のケース２０の上部であり、しかも、洗面台Ｂの上方に、押圧操作部としてキャップ９６を設けると共に、泡状石鹸の吐出部として泡ノズル１５０を設けているので、洗面用シンクに近接した位置での操作で、泡ノズル１５０から泡状石鹸が吐出され、使い勝手がよい。
【００４７】
（８）  押圧操作部としてのキャップ９６と、泡状石鹸を受ける泡ノズル１５０とを別の箇所に配置することにより、キャップ９６の上面部９８ａに泡状石鹸が付着することがなく、清掃も容易である。
【００４８】
図６は他の実施例に係るムースディスペンサ２１０を洗面台Ｂに取り付けた状態を示す外観図、図７はムースディスペンサ２１０の断面図である。ムースディスペンサ２１０は、泡状石鹸を吐出させるための操作部及び吐出口をケース２２０の上部に設けた構成を備えている。以下、各部の構成について説明する。
【００４９】
ムースディスペンサ２１０は、図６に示すように、洗面台Ｂ上に支持アームＣを介して取り付けられている。図７に示すように、ケース２２０は、筒状のケース本体２２１と、ケース本体２２１の下部に形成された下部開口２２１ａを封止した底蓋２５０と、ケース本体２２１の上部に形成した上部開口２２１ｂを封止した上カバー２５５とを備えている。上カバー２５５には、補給口２５５ａが形成され、この補給口２５５ａに補給蓋２５５ｂが封止されている。ケース２２０内には、ケース室２２０Ｓが形成されている。
【００５０】
次に、上記ケース２２０内に収納されたベローズ２７０及びその圧縮機構２９０について説明する。底蓋２５０の上部には、ケース室２２０Ｓ内に向けて突設されたベローズ下側支持台２６０が形成されている。ベローズ下側支持台２６０の上部に、ベローズ２７０がネジ止め固定されている。ベローズ２７０は、外側蛇腹部２７１と、外側蛇腹部２７１の内側に設けられた内側蛇腹部２８１と、外側蛇腹部２７１及び内側蛇腹部２８１の上部及び下部にそれぞれ設けられたベローズ下部２７２及びベローズ上部２７３とを備え、これらをゴムで一体成形している。
【００５１】
外側蛇腹部２７１の内周面、内側蛇腹部２８１の外周面、ベローズ下部２７２の上面及びベローズ上部２７３の下面で囲まれたスペースは、エアー室２７０Ｓになっており、内側蛇腹部２８１の内面で囲まれたスペースが水石鹸室２８０Ｓになっている。エアー室２７０Ｓがエアーを供給し、水石鹸室２８０Ｓが水石鹸を供給するものである。水石鹸室２８０Ｓ内には、コイルばね２８３が配置されており、ベローズ下部２７２とベローズ上部２７３との間に架設されている。
【００５２】
ベローズ２７０のベローズ上部２７３は、ベローズ上支持部材２９１により支持されている。ベローズ上支持部材２９１は、ベローズ上部２７３の端部にて取付ネジ２９２により固定されている。ベローズ上支持部材２９１の上部には、シャフト部２９３が設けられており、このシャフト部２９３は、上カバー２５５のシャフト貫通孔２５５ｃを貫通しており、その上部に、押圧ボタン２９６を装着している。なお、シャフト部２９３の外周とシャフト貫通孔２５５ｃの内周との間は、シール部材２９４によりシールされている。
【００５３】
次に、ベローズ２７０にエアー及び水石鹸を吸入するための各通路について説明する。ベローズ下部２７２の外周部に、エアー室２７０Ｓに連通する外気導入開口２７２ａが形成されており、この外気導入開口２７２ａに、ベローズ下側支持台２６０の水平板２６３上に取り付けられた外気導入用チェック弁３１１が接続されている。外気導入用チェック弁３１１は、外気導入配管３１０ｂを介して、底蓋２５０に形成された外気導入口３１０ａに接続されている。
【００５４】
ベローズ下部２７２の中央部には、水石鹸室２８０Ｓに連通する水石鹸導入開口２７２ｂが形成されている。水石鹸導入開口２７２ｂは、ベローズ下側支持台２６０の水平板２６３に取り付けられた水石鹸導入用チェック弁３３１に接続され、さらに水石鹸導入配管３３０ｂに接続されている。水石鹸導入配管３３０ｂの下端は、吸入口になっており、ケース室２２０Ｓに収容された水石鹸を吸入するようになっている。
【００５５】
次に、エアー流出通路３２０及び水石鹸流出通路３４０について説明する。
ベローズ上部２７３の外周部には、エアー流出開口２７３ｂが形成されている。エアー流出開口２７３ｂは、ベローズ上部２７３の上面に取り付けられたエアー流出用チェック弁３２１に接続され、さらに、エアー流出通路３２０を介して泡ノズル３５０に接続されている。
【００５６】
ベローズ上部２７３の中央部には、水石鹸流出開口２７３ｃが形成されている。水石鹸流出開口２７３ｃは、ベローズ上部２７３の上面に取り付けられた水石鹸流出用チェック弁３４１に接続され、さらに、水石鹸流出通路３４０を介して泡ノズル３５０に接続されている。泡ノズル３５０は、押圧ボタン２９６の側部に装着されており、そのノズル出口３５４から泡状石鹸が吐出されるようになっている。
【００５７】
次に、ムースディスペンサ２１０の動作について説明する。
ケース２２０内のケース室２２０Ｓ内に水石鹸が充填されており、ベローズ２７０が伸び状態にあり、エアー室２７０Ｓ内にエアーが満たされ、一方、水石鹸室２８０Ｓ内に水石鹸が充填された状態にあるとする。
【００５８】
この状態にて、押圧ボタン２９６を手で押すと、押圧ボタン２９６と一体となってベローズ上支持部材２９１が下方へ移動する。これにより、ベローズ上支持部材２９１が水石鹸流出用チェック弁３４１及びエアー流出用チェック弁３２１と共に一体となってベローズ２７０の弾性力及びコイルばね２８３に抗してベローズ２７０を圧縮する。このとき、エアー室２７０Ｓ内のエアーがエアー流出用チェック弁３２１及びエアー流出通路３２０を介して、泡ノズル３５０に送られる。なお、外気導入通路３１０には、外気導入用チェック弁３１１が設けられているから、エアー室２７０Ｓ内のエアーは大気側へ抜けない。
【００５９】
これと同時に、水石鹸室２８０Ｓ内に充填されていた水石鹸が水石鹸流出用チェック弁３４１及び水石鹸流出通路３４０を介して泡ノズル３５０に達する。そして、泡ノズル３５０では、水石鹸がエアーで泡立てられて泡状石鹸となり、ノズル通路３５３ｂを介してノズル出口３５４から吐出される。
【００６０】
そして、押圧ボタン２９６の押し下げ力を解放すると、ベローズ２７０の復元力及びコイルばね２８３の付勢力により、ベローズ２７０が元の状態に戻ろうとする。このとき、ベローズ２７０内の負圧により水石鹸導入用チェック弁３３１を介して水石鹸室２８０Ｓ内に水石鹸が吸入される。これと同時に、エアー室２７０Ｓ内に外気導入口３１０ａ、外気導入配管３１０ｂ、外気導入用チェック弁３１１を介してエアーが導入される。これにより、水石鹸室２８０Ｓ内に水石鹸が充填されると共に、エアー室２７０Ｓ内にエアーが満たされて、泡状石鹸の吐出のための待機状態になる。
【００６１】
上記実施例において、エアー室２７０Ｓ及び水石鹸室２８０Ｓから圧送されるエアー及び水石鹸は、シャフト部２９３内に形成された水石鹸流出通路３４０及びエアー流出通路３２０を介して泡ノズル３５０に送られる。したがって、水石鹸流出通路３４０及びエアー流出通路３２０を圧送するための配管系が簡単になり、ケース２２０内に複雑な配管接続をする必要がなく、組立性も向上する。
【００６２】
また、ムースディスペンサ２１０のケース２２０の上部であり、しかも、洗面台Ｂの上方に、操作部としての押圧ボタン２９６を設けると共に、泡状石鹸の吐出部として泡ノズル３５０を設けているので、操作部に近接した位置での操作で、泡ノズル３５０から泡状石鹸が吐出され、使い勝手がよい。
【００６３】
なお、図６に示すように、ケース２２０の外面に、外部から見ることができる容量表示部３７０を設けることにより、水石鹸の充填量を視認することができる。これにより、水石鹸の補充の有無についてのメンディナンスが簡単になる。
【００６４】
【発明の効果】
以上説明したように、本発明のムースディスペンサによれば、水石鹸及びエアーを通す水石鹸流出通路及びエアー流出通路が圧縮手段の操作部材内に形成されることにより、水石鹸流出通路及びエアー流出通路の配置構成を簡単にすることができる。
【図面の簡単な説明】
【図１】本発明の一実施例に係るムースディスペンサを示す縦横断面図。
【図２】図１に示すムースディスペンサの上部を示す拡大断面図。
【図３】図１に示すムースディスペンサの下部を示す拡大断面図。
【図４】ムースディスペンサの上部を他の方向から見た拡大断面図。
【図５】泡ノズル及びその周辺部を示す拡大断面図。
【図６】上部設置タイプの実施例に係るムースディスペンサを示す外観図。
【図７】図６のムースディスペンサの断面図。
【符号の説明】
１０…ムースディスペンサ
２０…ケース
２０Ｓ…ケース室
２１…ケース本体
２１ａ…底開口
２１ｂ…底フランジ部
２１ｃ…上開口
２１ｄ…上側内面
３０…アダプタ
３０Ｓ…アダプタ室
３１…筒本体
３１ａ…上部外周ネジ部
３１ｂ…下部外周ネジ部
３２…下部フランジ部
３３…下側ナット
３４…シャフト支持部
３４ａ…シャフト貫挿孔
４０…ノズルフランジ
４０Ｓ…ノズルフランジ室
４１…筒本体
４１ａ…上部内周ガイド部
４２…フランジ支持部
４２ａ…シャフト貫挿孔
４４…ノズルホルダ部
４４ａ…ノズルホルダ凹所
５０…底蓋
５０ａ…蓋フランジ部
６０…ベローズ下側支持台
６０ａ…ベローズ支持部
７０…エアー供給用ベローズ
７０Ｓ…エアー室
７１…蛇腹部
７２…ベローズ下部
７２ａ…下中央支持開口部
７２ｂ…下部開口
７３…ベローズ上部
７３ａ…上部中央取付突起
７３ｄ…上部エアー開口
８０…水石鹸供給用ベローズ
８０Ｓ…水石鹸室
８１…水石鹸供給用ベローズ蛇腹部
８２…ベローズ下部
８２ａ…下流出開口
８２ｂ…下部支持部
８３…ベローズ上部
８３ａ…水石鹸開口
８３ｂ…上部支持部
９０…圧縮機構
９０ａ…操作部材
９２…ベローズ上支持部材
９２ａ…ベローズ支持凹所
９２ｃ…ベローズ支持凹所
９４…シャフト
９４ａ…シャフト取付ネジ
９４ｂ…シャフトフランジ部
９６…キャップ
９６…キャップ
９６Ｓ…環状スペース
９７…キャップ本体
９７ａ…上部支持環状突起
９７ｂ…軸方向ガイド部
９７ｃ…上部凹所
９７ｄ…水石鹸補給通路
９７ｅ…フィルタ
９８…キャップカバー
９８ａ…上面部
９８ｂ…カバーフランジ部
９８ｃ…環状支持突起
１１０…外気導入通路
１１０ａ…外気導入通路
１１０ｂ…外気導入口
１１１…外気導入用チェック弁
１２０…エアー流出通路
１２０ａ…エアー流出通路
１２０ｂ…エアー流出通路
１２０ｃ…エアー流出通路
１２０ｄ…エアー流出通路
１２１…エアー流出用チェック弁
１３０…水石鹸導入通路
１３０ａ…水石鹸導入通路
１３１…水石鹸導入用チェック弁
１４０…水石鹸流出通路
１４０ａ…水石流出鹸通路
１４０ｂ…水石流出鹸通路
１４０ｃ…水石流出鹸通路
１４０ｄ…水石流出鹸通路
１４１…水石鹸流出用チェック弁
１５０…泡ノズル
１５０Ｎ…ノズル口
１５０ａ…ノズル通路
１５２…泡ノズル取付ネジ
１５３ａ…ノズル混合室
１５３ｂ…第１導入通路部
１５３ｃ…第１拡張室
１５３ｄ…接続通路部
１５３ｅ…第２拡張室
１５３ｆ…第１メッシュ
１５３ｇ…第２メッシュ
２１０…ムースディスペンサ
２２０…ケース
２２０Ｓ…ケース室
２２１…ケース本体
２２１ａ…下部開口
２２１ｂ…上部開口
２５０…底蓋
２５５…上カバー
２５５ａ…補給口
２５５ｂ…補給蓋
２５５ｃ…シャフト貫通孔
２６０…ベローズ下側支持台
２６３…水平板
２７０…ベローズ
２７０Ｓ…エアー室
２７１…外側蛇腹部
２７２…ベローズ下部
２７２ａ…エアー導入開口
２７２ｂ…水石鹸導入開口
２７３…ベローズ上部
２７３ｂ…エアー流出開口
２７３ｃ…水石鹸流出開口
２８０Ｓ…水石鹸室
２８１…内側蛇腹部
２８３…コイルばね
２９０…圧縮機構
２９１…ベローズ上支持部材
２９２…取付ネジ
２９３…シャフト部
２９４…シール部材
２９６…押圧ボタン
３１０…外気導入通路
３１０ａ…外気導入口
３１０ｂ…外気導入配管
３１１…外気導入用チェック弁
３２０…エアー流出通路
３２１…エアー流出用チェック弁
３３０ｂ…水石鹸導入配管
３３１…水石鹸導入用チェック弁
３４０…水石鹸流出通路
３４１…水石鹸流出用チェック弁
３５０…泡ノズル
３５３ｂ…ノズル通路
３５４…ノズル出口
３７０…容量表示部
Ｂ…洗面台
Ｃ…支持アーム
【図１】
0003561940.tif 000002
【図２】
0003561940.tif 000003
【図３】
0003561940.tif 000004
【図４】
0003561940.tif 000005
【図５】
0003561940.tif 000006
【図６】
0003561940.tif 000007
【図７】
0003561940.tif 000008